(57)【要約】【課題】  従来のマーカー具では、マーカーを台板に着磁保持させるための磁石板が台板上面の略全面に貼着されていたため、大きな面積の磁石板が必要となって、コスト高となっていた。また、磁石板に着磁したマーカーの取り出しが行いにくかった。【解決手段】  マーカー５と、マーカー５を保持する保持台２と、保持台２に固設される装着用のクリップ３とを備えたマーカー具１であって、マーカー５の被保持面は着磁性部材にて構成され、保持台２のマーカー保持面には、永久磁石６が埋設される着磁面２ａと、該着磁面２ａよりも低い段差面２ｂとが形成され、着磁面２ａと段差面２ｂとの段差２ｄが面取りされている。【選択図】  図１
2005102778.tif 000002
【特許請求の範囲】
【請求項１】
マーカーと、マーカーを保持する保持台と、保持台に固設される装着用のクリップとを備えたマーカー具であって、
マーカーの被保持面は着磁性部材にて構成され、
保持台のマーカー保持面には、磁石が埋設される磁石埋設面と、該磁石埋設面よりも低い段差面とが形成され、
磁石埋設面と段差面との段差が面取りされていることを特徴とするマーカー具。
【請求項２】
マーカーと、マーカーを保持する保持台とを備えたマーカー具であって、
マーカーの被保持面は着磁性部材にて構成され、
保持台のマーカー保持面には、磁石が埋設されるとともに、該磁石埋設面よりも低い段差面が形成され、
磁石埋設面と段差面との段差が面取りされており、
保持台がグリーンフォークの把持部であることを特徴とするマーカー具。
【請求項３】
磁石の面積は、前記磁石埋設面全体の面積の半分程度以下であることを特徴とする請求項１又は請求項２に記載のマーカー具。
【請求項４】
保持台は着磁性部材にて構成され、磁石の上面と磁石埋設面とが略同一高さに位置していることを特徴とする請求項１〜請求項３の何れかに記載のマーカー具。
【発明の詳細な説明】
【技術分野】
【０００１】
本発明は、ゴルフ競技において、グリーン上のボール位置をマークするためのマーカー具に関する。
【背景技術】
【０００２】
従来から、グリーン上のボール位置をマークするためのマーカー具としては、コインや円盤状部材の裏面からピンを突出させたマーカー等が用いられており、着衣のポケット等に入れて携帯するのが一般的である。
マーカーをポケットに入れて携帯する場合、ポケットの底に落ち込んだマーカーを取り出すのに手間がかかったり、マーカーによってポケットの痛みが早くなったりする等といった不具合が見受けられる。
従って、取付部材付きの台板に磁石板を取り付け、この磁石板に着磁性金属で形成されたマーカーを着磁させて構成したマーカー具が考案されている（特許文献１参照）。
このようなマーカー具では、マーカーの取り出し容易かつ迅速にでき、着衣のポケット等が痛むことを防ぐことが可能となっている。
【０００３】
【特許文献１】実開昭６１−９４０６２号公報
【発明の開示】
【発明が解決しようとする課題】
【０００４】
しかし、特許文献１に記載の技術では、マーカーを台板に着磁保持させるための磁石板が台板上面の略全面に貼着されていたため、大きな面積の磁石板が必要となって、コスト高となっていた。また、磁石板に着磁したマーカーの取り出しが行いにくかった。
【課題を解決するための手段】
【０００５】
上記課題を解決する本発明のマーカー具は、以下の特徴を有する。
即ち、請求項１記載の如く、マーカーと、マーカーを保持する保持台と、保持台に固設される装着用のクリップとを備えたマーカー具であって、マーカーの被保持面は着磁性部材にて構成され、保持台のマーカー保持面には、磁石が埋設される磁石埋設面と、該磁石埋設面よりも低い段差面とが形成され、磁石埋設面と段差面との段差が面取りされている。
これにより、マーカーをスライドさせて取り外すときの抵抗が少なくなり、小さな力で容易に外側へ押し出して取り外すことができる。
【０００６】
また、請求項２記載の如く、マーカーと、マーカーを保持する保持台とを備えたマーカー具であって、マーカーの被保持面は着磁性部材にて構成され、保持台のマーカー保持面には、磁石が埋設されるとともに、該磁石埋設面よりも低い段差面が形成され、磁石埋設面と段差面との段差が面取りされており、保持台がグリーンフォークの把持部である。
これにより、多くなりがちなゴルフ競技者の携帯品の数を減らすことができるとともに、容易にマーカーを取り出してマーキングを行うことができる。
【０００７】
また、請求項３記載の如く、磁石の面積は、前記磁石埋設面全体の面積の半分程度以下である。
これにより、磁石が組み込まれるマーカー具のコストダウンを図ることが可能となる。
【０００８】
また、請求項４記載の如く、保持台は着磁性部材にて構成され、磁石の上面と磁石埋設面とが略同一高さに位置している。
これにより、保持台がヨークとして作用するため、小さな面積の磁石であっても強力な吸着力を発揮して確実にマーカーを着磁保持することが可能となり、マーカー具の低コスト化を図ることができる。
また、保持台自身がヨークの役割を果たしているので、別途ヨークを設けることなく強力な吸着力を発揮することができ、さらなる低コスト化を図ることが可能である。
【発明の効果】
【０００９】
本発明によれば、マーカー具の低コスト化を図るとともに、マーカーの取り出しを容易にすることができる。
【発明を実施するための最良の形態】
【００１０】
次に、本発明を実施するための形態を、添付の図面を用いて説明する。
図１〜図３に示すように、本発明にかかるマーカー具１は、グリーン上のボール位置をマークするためのマーカー５と、マーカー５が装着保持される保持台２と、保持台２に固設されマーカー具１を着衣等に取り付けるためのクリップ部３とで構成されている。
【００１１】
保持台２のマーカー保持面（図１、図３の上面）には、永久磁石６が埋設されており、マーカー５の被保持面（図１、図３の下面）は高透磁率の着磁性部材にて構成されている。
保持台２のマーカー保持面は、永久磁石６が埋設されている磁石埋設面である着磁面２ａと、着磁面２ａよりも低く形成されている段差面２ｂとで構成されており、着磁面２ａと段差面２ｂとの間には、直線状の段差２ｄが形成されている。
段差面２ｂの面積は、着磁面２ａの面積よりも小さく形成されている。
【００１２】
段差２ｄの上部角２ｅは、Ｃ面取りされて傾斜面となっている。なお、段差２ｄの上部角２ｅにはＲ面取り処理を施してもよい。
また、マーカー保持面の周縁部には、着磁面２ａ及び段差面２よりも上方に突出した周縁凸部２ｃが形成されている。
【００１３】
永久磁石６は、着磁面２ａに形成される埋設穴２ｆに埋設されており、着磁面２ａの上面と永久磁石６の上面とは、略同じ高さとなっている。
永久磁石６の上面の面積は、埋設穴２ｆの面積を含む、着磁面２ａの上面全体の面積の半分程度以下の大きさに形成されている。さらに、永久磁石６の上面の面積は、着磁面２ａの上面全体の面積の３分の１程度以下の大きさに形成することも可能である。
【００１４】
このように、永久磁石６の上面の面積を、着磁面２ａの上面全体の面積の半分程度以下の大きさ、さらには３分の１程度以下の大きさに形成することで、永久磁石６が組み込まれるマーカー具１のコストダウンを図ることが可能となる。
【００１５】
保持台２のマーカー保持面に着磁保持されたマーカー５は、段差面２ｂとの間には隙間を有した状態で、永久磁石６及び着磁面２ａに接している。
保持台２は高透磁率の着磁性部材にて構成されており、埋設穴２ｆの底面にて永久磁石６と接しているため、保持台２がヨークの役割を果たしている。
【００１６】
このように、保持台２を着磁性部材にて構成し、永久磁石６の上面と着磁面２ａとを略同一高さに位置させて、保持台２をヨークとして作用させることにより、着磁面２ａの面積の半分程度以下又は３分の１程度以下の小さな面積の永久磁石６であっても、強力な吸着力を発揮することができ、確実にマーカー５を着磁保持することが可能となるとともに、マーカー具１の低コスト化を図ることができる。
また、保持台２自身がヨークの役割を果たしているので、別途ヨークを設けることなく強力な吸着力を発揮することができ、さらなる低コスト化を図ることができる。
【００１７】
また、保持台２に着磁保持されたマーカー５を取り外すには、以下のようにして取り外すことができる。
つまり、図４（ａ）に示すように、マーカー５における段差面２ｂの部分に位置する個所を上方から押さえると、マーカー５と段差面２ｂとの間には隙間があるため、図４（ｂ）に示すように、マーカー５の押さえられた個所は段差２ｄの上部角２ｅを支点として押し下げられる。逆に、マーカー５の永久磁石６に着磁していた部分は、永久磁石６の吸着力に抗して上方へ浮き上がる。
【００１８】
この状態で、マーカー５を浮き上がった側へ向けて押し出すと、図４（ｃ）に示すように、マーカー５の先端が周縁凸部２ｃに達し、さらに押し出すことでマーカー５を保持台２から容易に取り外すことができる。
【００１９】
図５に示すように、浮き上がった側へ向けて押し出され、その先端が周縁凸部２ｃに達した状態のマーカー５は、永久磁石６及び着磁面２ａに直接当接することなく段差２ｄ及び周縁凸部２ｃに支持されることとなる。
この状態では、マーカー５に作用する永久磁石６の吸着力はさほど大きくなく、さらにマーカー５は周縁凸部２ｃに引っ掛かることがないため、容易に外側（図５における矢印側）へスライドさせて取り外すことができるのである。
【００２０】
また、図４、図５に示したように、マーカー５の段差面２ｂの部分を下方へ押し込みながら、該マーカー５を外側へ押し出す場合、マーカー５は段差２ｄの上部角２ｅに接した状態でスライドしながら外側へ押し出される。
この場合、マーカー５と接している段差２ｄの上部角２ｅは、面取りされて側面視で鈍角又は円弧状となっているので、マーカー５をスライドさせるときの抵抗が少なく、小さな力で容易に外側へ押し出して取り外すことが可能となっている。
【００２１】
以上のように構成されたマーカー具１は、例えば、図６に示すように、ゴルフシューズ等の靴３０に取り付けて使用することができる。
マーカー具１の靴３０への取り付けは、靴紐を通す部分の近く等、靴３０の甲の部分にクリップ部３を装着することで行うことが好ましい。
靴３０の甲の部分にマーカー具３０を取り付けることで、マーカー５の取り出し作業と、マーカー５をクリーン上にセットする作業とを、腰をかがめた姿勢での一連の作業として行うことができるので、マーキング作業が非常に楽になりマーキング作業を向上することができる。
【００２２】
また、マーカー具１は、帽子に取り付けることもできる。
例えば、図７に示すように、つば付帽子４０のつば４０ａの部分にクリップ部３を装着することでマーカー具１をつば付帽子４０に取り付けることができる。
特に、デザインされた模様や色彩をマーカー５の表面に付したマーカー具１を帽子に取り付けることで、マーカー５の取り出しが行い易くなるとともに、マーカー具１をアクセサリー具として用いることが可能となる。
【００２３】
さらに、マーカー具１は、図８に示すように、スラックス５０のベルト５１に取り付けたり、図９に示すように、スラックス５０のポケットの縁部５０ａに取り付けたりすることもできる。
この場合もマーカー５の取り出しを行い易くすることができる。
【００２４】
また、マーカー５は、グリーンフォークに着磁保持させることもできる。
図１０〜図１２に示すグリーンフォーク６０は、把持部６１とフォーク部６２とを備えている。
フォーク部６２は回動支点６３を中心にして回動可能に把持部６１と接続されており、グリーンフォーク６０は、図１０に示すフォーク部６２が開いた使用状態と、図１１、図１２に示すフォーク部６２を把持部６内に収納した状態とを切り換えられるように構成されている。
【００２５】
グリーンフォーク６０の把持部６１の一面には、マーカー収納部６１ｓが形成されている。
マーカー収納部６１ｓは、マーカー具１の保持台２と同様に形成されており、把持部６１の一面における他の箇所よりも凹んだ着磁面６１ａと、着磁面６１ａよりさらに凹んだ段差面６１ｂとを備えている。
【００２６】
着磁面６１ａには埋設穴６１ｆが形成され、埋設穴６１ｆには永久磁石６が埋設されており、永久磁石６によりマーカー５が着磁面６１ａに着磁保持されている。着磁面６１ａの上面と永久磁石６の上面とは、略同じ高さとなっている。
着磁面６１ａと段差面６１ｂとの間には、直線状の段差６１ｄが形成されている。段差面６１ｂの面積は、着磁面６１ａの面積よりも小さく形成されている。
【００２７】
また、永久磁石６の上面の面積は、埋設穴６１ｆの面積を含む、着磁面１６ａの上面全体の面積の半分程度以下の大きさに形成されている。さらに、永久磁石６の上面の面積は、着磁面６１ａの上面全体の面積の３分の１程度以下の大きさに形成することも可能である。
【００２８】
このように、把持部６１のマーカー収納部６１ｓに着磁保持されたマーカー５を取り外す場合は、前述のマーカー具１の場合と同様に、マーカー５における段差面６１ｂの部分を上方から押さえて、マーカー５の永久磁石６に着磁していた部分を浮き上がらせる。この状態で、マーカー５を浮き上がった側へ向けて押し出すと、マーカー５を把持部６１から容易に取り外すことができる。
また、本グリーンフォーク６０は、マーカー５を一体的に着磁保持しているので、多くなりがちなゴルフ競技者の携帯品の数を減らすことができるとともに、容易にマーカー５を取り出してマーキングを行うことができる。
【図面の簡単な説明】
【００２９】
【図１】本発明のマーカー具を示す斜視図である。
【図２】同じくマーカー具を示す平面図である。
【図３】同じくマーカー具を示す側面断面図である。
【図４】保持台からマーカーを取り外す様子を示す側面断面図である。
【図５】取り外し時に、浮き上がった側へ向けて押し出され、その先端が保持台の周縁凸部に達した状態のマーカーを示す側面断面図である。
【図６】靴に取り付けられたマーカー具を示す図である。
【図７】帽子のつばに取り付けられたマーカー具を示す図である。
【図８】スラックスのベルトに取り付けられたマーカー具を示す図である。
【図９】スラックスのポケットの縁部に取り付けられたマーカー具を示す図である。
【図１０】マーカーを着磁保持した開閉式のグリーンフォークが開いた状態を示す平面図である。
【図１１】マーカーを着磁保持した開閉式のグリーンフォークが閉じた状態を示す平面図である。
【図１２】マーカーを着磁保持した開閉式のグリーンフォークが閉じた状態を示す側面断面図である。
【符号の説明】
【００３０】
１  マーカー具
２  保持台
２ａ  着磁面
２ｂ  段差面
２ｄ  段差
３  クリップ部
５  マーカー
６  永久磁石
【図１】
2005102778.tif 000003
【図２】
2005102778.tif 000004
【図３】
2005102778.tif 000005
【図４】
2005102778.tif 000006
【図５】
2005102778.tif 000007
【図８】
2005102778.tif 000008
【図９】
2005102778.tif 000009
【図１０】
2005102778.tif 000010
【図１１】
2005102778.tif 000011
【図１２】
2005102778.tif 000012
【図６】
2005102778.tif 000013
【図７】
2005102778.tif 000014